(57)【要約】【課題】  排水管からの臭気がトイレ室内に漏れ出すことを確実に防止し、便器を設置予定箇所に確実に設置し、且つ便器の施工を容易にする。【解決手段】  床フランジ７の排水筒部８の上端部に排水筒部８の内方に向けて突出する環状シール材１４を設ける。床フランジ７の鍔部１８を床２に載設する。便器１の下面に形成した凹部５の上底面から下方に向けて突設した排水口部６を環状シール材１４の中央に形成された口部挿通孔１７に挿通して環状シール材１４により排水口部６と排水筒部８との間をシールする。便器１の凹部５の内側面に被ガイド面３５を形成する。床フランジ７に、鍔部１８の上方に位置すると共に、便器１の排水口部６を口部挿通孔１７に挿通する際において被ガイド面３５に当接して排水口部６が平面視でその中心が排水筒部８の中心と重なる位置となるように導くガイドリブ２６を設ける。【選択図】        図１
2006002497.tif 000002
【特許請求の範囲】
【請求項１】
下端部が排水管に接続される排水筒部と、該排水筒部の外周面から突設した鍔部とを備えた床フランジを具備し、排水筒部の上端部に排水筒部の内方に向けて突出する環状シール材を設け、該床フランジの鍔部を床に載設し、便器の下面に形成した凹部の上底面から下方に向けて排水口部を突設し、該排水口部を前記床フランジの環状シール材の中央に形成された口部挿通孔に挿通して前記環状シール材により排水口部と排水筒部との間をシールすると共に、該便器を床に載設してなる便器排水口部の接続構造において、便器の凹部の内側面に被ガイド面を形成し、床フランジに、鍔部の上方に位置すると共に、前記便器の排水口部を口部挿通孔に挿通する際において被ガイド面に当接して排水口部が平面視でその中心が排水筒部の中心と重なる位置となるように導くガイドリブを設けて成ることを特徴とする便器排水口部の接続構造。
【請求項２】
便器の幅方向を左右方向とすると共に平面視で前記左右方向に直交する方向を前後方向とし、床フランジの排水筒部の左側方に位置する箇所に、左側前ガイドリブ、左側後ガイドリブ、左側左ガイドリブを形成し、床フランジの排水筒部の右側方に位置する箇所に、右側前ガイドリブ、右側後ガイドリブ、右側右ガイドリブを形成し、これら左側前ガイドリブ、左側後ガイドリブ、左側左ガイドリブ、右側前ガイドリブ、右側後ガイドリブ、右側右ガイドリブ、で、上記ガイドリブを構成し、便器の凹部の左側の内側面に、後方を向き前記左側前ガイドリブにガイドされる左側前被ガイド面、前方を向き前記左側後ガイドリブにガイドされる左側後被ガイド面、右側方を向き前記左側左ガイドリブにガイドされる左側左被ガイド面、を形成し、便器の凹部の右側の内側面に、後方を向き前記右側前ガイドリブにガイドされる右側前被ガイド面、前方を向き前記右側後ガイドリブにガイドされる右側後被ガイド面、左側方を向き前記右側右ガイドリブにガイドされる右側右被ガイド面、を形成し、これら左側前被ガイド面、左側後被ガイド面、左側左被ガイド面、右側前被ガイド面、右側後被ガイド面、右側右被ガイド面、で上記被ガイド面を構成して成ることを特徴とする便器排水口部の接続構造
【請求項３】
上記左側左ガイドリブ及び右側右ガイドリブを平面視において排水筒部の中心を通る一直線上に配設して成ることを特徴とする請求項２に記載の便器排水口部の接続構造。
【発明の詳細な説明】
【技術分野】
【０００１】
本発明は便器排水口部の接続構造に関する。
【背景技術】
【０００２】
便器の排水口部と床下の排水管とを床フランジを用いて接続する便器排水口部の接続構造としては図８に示すものが一般的に知られている。
【０００３】
この便器排水口部の接続構造にあっては、排水筒部８と、該排水筒部８の外周面から突出した鍔部１８とを備えた床フランジ７を具備し、排水筒部８の上端部に排水筒部８の内方に向けて突出する弾性変形可能な環状シール材１４を設け、該床フランジ７の排水筒部８の下端部を床下の排水管１３に接続すると共に鍔部１８を床２に載設し、便器１の下面に形成した凹部５の上底面から下方に向けて排水口部６を突設し、該排水口部６を前記床フランジ７の環状シール材１４の中央に形成された口部挿通孔１７に挿通して前記環状シール材１４により排水口部６と排水筒部８との間をシールすると共に、該便器１を床２に載設してなるものである（例えば特許文献１）。
【０００４】
ところで上記便器排水口部の接続構造にあっては、床２の上方から便器１を下方に移動して便器１の排水口部６を床フランジ７の排水筒部８内に挿通するのだが、この際作業者は便器１によって隠れた口部挿通孔１７を視認することができないため勘を頼りに排水口部６の挿通を行うこととなる。
【０００５】
しかしこのように排水口部６を挿入する作業は難しく、これにより排水口部６を口部挿通孔１７に挿通した場合に、図８に示すように排水筒部８の中心と排水口部６の中心とのずれＬが大きい状態で排水口部６が排水筒部８内に挿通される場合があり、このように排水口部６が排水筒部８内に挿通された場合、図８のように排水口部６と排水筒部８との隙間が小さい箇所は環状シール材１４によって必要以上に密閉され、逆に排水口部６と排水筒部８との隙間が大きい箇所は環状シール材１４によって完全に密閉できないといった事態が生じ、環状シール材１４によって完全に密閉できない箇所から排水管１３からの臭気がトイレ室内に漏れ出す恐れがある。また便器１は予め便器１の設置位置を考慮して床の所定位置に設けられた床フランジ７に上記のように嵌め込んで設置されるのだが、上記したように排水筒部８の中心と排水口部６の中心とが大きくずれた状態で便器１が設置された場合、便器１の設置位置が床フランジ７によって定められた設置予定箇所とずれてしまうといった問題が生じる。
【特許文献１】特開２００１―４０７３９号公報
【発明の開示】
【発明が解決しようとする課題】
【０００６】
本発明は上記従来の問題点に鑑みて発明したものであって、環状シール材により排水管からの臭気がトイレ室内に漏れ出すことを確実に防止でき、且つ便器を設置予定箇所に確実に設置でき、且つ便器の施工を容易にできる便器排水口部の接続構造を提供することを課題とするものである。
【課題を解決するための手段】
【０００７】
上記課題を解決するために本発明に係る便器排水口部の接続構造は、下端部が排水管１３に接続される排水筒部８と、該排水筒部８の外周面から突設した鍔部１８とを備えた床フランジ７を具備し、排水筒部８の上端部に排水筒部８の内方に向けて突出する環状シール材１４を設け、該床フランジ７の鍔部１８を床２に載設し、便器１の下面に形成した凹部５の上底面から下方に向けて排水口部６を突設し、該排水口部６を前記床フランジ７の環状シール材１４の中央に形成された口部挿通孔１７に挿通して前記環状シール材１４により排水口部６と排水筒部８との間をシールすると共に、該便器１を床２に載設してなる便器排水口部の接続構造において、便器１の凹部５の内側面に被ガイド面３５を形成し、床フランジ７に、鍔部１８の上方に位置すると共に、前記便器１の排水口部６を口部挿通孔１７に挿通する際において被ガイド面３５に当接して排水口部６が平面視でその中心が排水筒部８の中心と重なる位置となるように導くガイドリブ２６を設けて成ることを特徴とする。
【０００８】
便器１の排水口部６を口部挿通孔１７に挿通する際に、ガイドリブ２６によって排水口部６が平面視でその中心が排水筒部８の中心と重なる位置と重なる位置にガイドすることができ、これにより平面視における排水口部６の中心と排水筒部８の中心とを略一致させることができ、これにより排水口部６の外面の全周に亙って均等にシールできて、排水管１３からトイレ室内への臭気の漏れを環状シール材１４によって確実に防止でき、また便器１の排水口部６を口部挿通孔１７に挿通する際に、ガイドリブ２６によって排水口部６が平面視でその中心が排水筒部８の中心と重なる位置と重なる位置にガイドすることができるため便器１を設置予定箇所に確実に設置でき、さらには便器１の施工が容易になる。
【０００９】
また請求項２は請求項１において、便器１の幅方向を左右方向とすると共に平面視で前記左右方向に直交する方向を前後方向とし、床フランジ７の排水筒部８の左側方に位置する箇所に、左側前ガイドリブ２６ａ、左側後ガイドリブ２６ｂ、左側左ガイドリブ２６ｃを形成し、床フランジ７の排水筒部８の右側方に位置する箇所に、右側前ガイドリブ２６ｄ、右側後ガイドリブ２６ｅ、右側右ガイドリブ２６ｆを形成し、これら左側前ガイドリブ２６ａ、左側後ガイドリブ２６ｂ、左側左ガイドリブ２６ｃ、右側前ガイドリブ２６ｄ、右側後ガイドリブ２６ｅ、右側右ガイドリブ２６ｆ、で、上記ガイドリブ２６を構成し、便器１の凹部５の左側の内側面に、後方を向き前記左側前ガイドリブ２６ａにガイドされる左側前被ガイド面３５ａ、前方を向き前記左側後ガイドリブ２６ｂにガイドされる左側後被ガイド面３５ｂ、右側方を向き前記左側左ガイドリブ２６ｃにガイドされる左側左被ガイド面３５ｃ、を形成し、便器１の凹部５の右側の内側面に、後方を向き前記右側前ガイドリブ２６ｄにガイドされる右側前被ガイド面３５ｄ、前方を向き前記右側後ガイドリブ２６ｅにガイドされる右側後被ガイド面３５ｅ、左側方を向き前記右側右ガイドリブ２６ｆにガイドされる右側右被ガイド面３５ｆ、を形成し、これら左側前被ガイド面３５ａ、左側後被ガイド面３５ｂ、左側左被ガイド面３５ｃ、右側前被ガイド面３５ｄ、右側後被ガイド面３５ｅ、右側右被ガイド面３５ｆ、で上記被ガイド面３５を構成して成ることを特徴とする。
【００１０】
上記のようにガイドリブ２６及び被ガイド面３５を構成することで、左側前ガイドリブ２６ａ、左側後ガイドリブ２６ｂ、右側前ガイドリブ２６ｄ、右側後ガイドリブ２６ｅ、によって便器１の前後方向の移動を規制した排水口部６のガイドができ、左側左ガイドリブ２６ｃ及び右側右ガイドリブ２６ｆによって、便器１の左右方向の移動を規制した排水口部６のガイドができ、これにより簡単な構成で且つ正確に排水口部６のガイドができる。
【００１１】
また請求項３は請求項２において、上記左側左ガイドリブ２６ｃ及び右側右ガイドリブ２６ｆを平面視において排水筒部８の中心を通る一直線上に配設して成ることを特徴とする。
【００１２】
これにより作業者は左側左ガイドリブ２６ｃ及び右側右ガイドリブ２６ｆを見て排水筒部８の中心位置を確認でき、便器１の載置や、床フランジ７の設置の際に、床フランジ７の位置合わせを容易に行うことができる。
【発明の効果】
【００１３】
本発明では、排水筒部の中心と排水口部の中心のずれを小さくでき、これにより環状シール材により排水管からの臭気がトイレ室内に漏れ出すことを確実に防止でき、且つ便器を設置予定箇所に確実に設置でき、且つ便器の施工を容易にできる。
【発明を実施するための最良の形態】
【００１４】
以下、本発明を添付図面に示す実施形態に基いて説明する。なお以下の説明では、便器１を床２に設置した状態における便器１の幅方向を左右方向とし、該左右方向に平面視で直交する方向を前後方向とし、便器１から見て小便をする男子が立つ側を前方と規定して説明する。
【００１５】
図２にトイレの床２に設置される便器１を示す。便器１はその上面部の後部に便座３及び便蓋４を回動自在に連結した洋式便器である。図１に示すように便器１の下面には下方に開口する凹部５を形成してあり、該凹部５の上底面からは、便器１のボウル面の後部に連通する直管状の排水口部６が下方に向けて突設されている。図示例の凹部５は排水口部６及び後述する床フランジ７を外側から覆う排水口部カバー５ａからなり、該排水口部カバー５ａは排水口部６の基端に一体に設けてある。
【００１６】
以下、上記便器１の排水口部６の接続構造について説明する。
【００１７】
トイレの床２には図１に示すように樹脂製の床フランジ７を載設している。床フランジ７は、上下に伸びる排水筒部８と、該排水筒部８の外周面から突出した鍔部１８とを有しており、その鍔部１８を床２の上面に載設することで床２に載設されている。
【００１８】
排水筒部８はトイレの床２の所定位置に穿設したトイレ室内と床下とを連通させる床孔９に挿通されている。排水筒部８は、下側の小径部１０と、小径部１０よりも内径の大きい上側の大径部１１と、小径部１０と大径部１１とを接続する接続部１２と、からなる。小径部１０の内径は排水口部６の内径よりも小さく、大径部１１の内径は排水口部６の外径よりも大きい。また接続部１２はその下端から上端に行くほど徐々に内径が大きくなるように拡径してある。
【００１９】
排水筒部８の下端部、即ち小径部１０の下側部分は床２よりも下方に位置してあり、この小径部１０の下側部分は床下に配管された排水管１３に挿入されて接着剤等により排水管１３に接続されている。排水筒部８の上端部、即ち大径部１１の上側部分は床２の上面よりも上方に位置しており、該大径部１１の上側部分には排水筒部８の内方に向けて突出する環状シール材１４を設けている。
【００２０】
環状シール材１４はゴム等の弾性を有する部材からなり、内側に大径部１１が嵌入される筒状部１５と、筒状部１５に一体に設けたシール部１６とからなる。シール部１６は筒状部１５の排水筒部８よりも上方に位置する上端から排水筒部８の内方且つ下方である斜方に向けて突出しており、筒状部１５の全周に亙って設けられている。またシール部１６の内端は排水筒部８の上端よりやや下方に位置している。シール部１６によって囲まれた円形孔からなる環状シール材１４の中央に形成された口部挿通孔１７は、該口部挿通孔１７に後述する排水口部６を挿通する前の状態においては、平面視でその中心が排水筒部８の中心と一致する孔となっており、該口部挿通孔１７の孔径は排水筒部８の上端部（大径部１１）よりも小さくなっている。
【００２１】
鍔部１８は図２及び図３に示すように平面視で左右方向に長い大略菱形状に形成されており、平面視における鍔部１８の中心と前記排水筒部８の中心とは一致している。鍔部１８には複数の固着具用孔１９を穿設してあり、両固着具用孔１９に挿通した図示しないビス等の固着具により鍔部１８は床２に固定されている。
【００２２】
鍔部１８の排水筒部８を挟んだ左右両側には便器１が固定される固定用リブ２０ａ、２０ｂを上方に向けて一体に突設しており、両固定用リブ２０ａ、２０ｂは排水筒部８よりも上方に突出している。両固定用リブ２０ａ、２０ｂの夫々の上部には固定用リブ２０ａ、２０ｂの上面から上方に開口し且つ固定用リブ２０ａ、２０ｂの前面から前方に開口するＴボルト挿入溝２１ａ、２１ｂを形成している。Ｔボルト挿入溝２１ａ、２１ｂは上部の幅狭部２２と下部の幅広部２３とからなり、正面視逆Ｔ字状に形成されている。両Ｔボルト挿入溝２１ａ、２１ｂの夫々には図２及び図４に示すようにＴボルト２４ａ、２４ｂが挿入されており、Ｔボルト２４ａ、２４ｂはその頭部が幅広部２３に、その軸部の基部が幅狭部２２に挿入されている。ここで両Ｔボルト２４ａ、２４ｂは前後方向において排水筒部８の中心と同じ位置に配してあるものとする。また図４に示すように両固定用リブ２０ａ、２０ｂの夫々の上面には左右に伸びる位置決線２５ａ、２５ｂを引いており、平面視において両位置決線２５ａ、２５ｂを延長した延長線は排水筒部８の中心を通っている。
【００２３】
上記床フランジ７には図３に示すように鍔部１８の上方に位置するガイドリブ２６を一体に設けている。ガイドリブ２６は、床フランジ７の排水筒部８の左側方に位置する箇所に形成した、左側前ガイドリブ２６ａ、左側後ガイドリブ２６ｂ、左側左ガイドリブ２６ｃ、と、床フランジ７の排水筒部８の右側方に位置する箇所に形成した、右側前ガイドリブ２６ｄ、右側後ガイドリブ２６ｅ、右側右ガイドリブ２６ｆと、で構成してある。左側前ガイドリブ２６ａ、左側後ガイドリブ２６ｂ、左側左ガイドリブ２６ｃ、右側前ガイドリブ２６ｄ、右側後ガイドリブ２６ｅ、右側右ガイドリブ２６ｆは、全て鍔部１８から上方に向けて一体に突設してあり、尚且つ、左側前ガイドリブ２６ａ、左側後ガイドリブ２６ｂ、左側左ガイドリブ２６ｃ、は全て左側の固定用リブ２０ａに一体に設けており、右側前ガイドリブ２６ｄ、右側後ガイドリブ２６ｅ、右側右ガイドリブ２６ｆ、は、全て右側の固定用リブ２０ｂに一体に設けている。
【００２４】
左側前ガイドリブ２６ａは左側の固定用リブ２０ａの前面における左側端部から前方に向けて突出しており、左側後ガイドリブ２６ｂは左側の固定用リブ２０ａの後面における左側端部から後方に向けて突出しており、左側左ガイドリブ２６ｃは左側の固定用リブ２０ａの左側面から左側方に向けて突出している。左側後ガイドリブ２６ｂ及び左側左ガイドリブ２６ｃは左側の固定用リブ２０ａの上下全長に亙って設けてあり、即ち左側後ガイドリブ２６ｂ及び左側左ガイドリブ２６ｃは排水筒部８よりも上方に突出している。また左側前ガイドリブ２６ａは左側の固定用リブ２０ａの下端からＴボルト挿入溝２１ａの底面と同レベルの位置まで亙って設けられておりＴボルト挿入溝２１ａの底面よりも上方には設けられていない。これによりＴボルト２４ａをＴボルト挿入溝２１ａの前端開口から挿入する際には左側前ガイドリブ２６ａが邪魔にならないようになっている。
【００２５】
右側前ガイドリブ２６ｄは右側の固定用リブ２０ｂの前面における右側端部から前方に向けて突出しており、右側後ガイドリブ２６ｅは右側の固定用リブ２０ｂの後面における右側端部から後方に向けて突出しており、右側右ガイドリブ２６ｆは右側の固定用リブ２０ｂの右側面から右側方に向けて突出している。右側後ガイドリブ２６ｅ及び右側右ガイドリブ２６ｆは右側の固定用リブ２０ｂの上下全長に亙って設けてあり、即ち右側後ガイドリブ２６ｅ及び右側右ガイドリブ２６ｆは排水筒部８よりも上方に突出している。また右側前ガイドリブ２６ｄは右側の固定用リブ２０ｂの下端からＴボルト挿入溝２１ｂの底面と同レベルの位置までに亙って設けられておりＴボルト挿入溝２１ｂの底面よりも上方には設けられていない。これによりＴボルト２４ｂをＴボルト挿入溝２１ｂの前端開口から挿入する際には右側前ガイドリブ２６ｄが邪魔にならないようになっている。
【００２６】
左側前ガイドリブ２６ａの前面及び右側前ガイドリブ２６ｄの前面は上方程後方に位置するように傾斜したテーパー面２７ａ、２７ｄとなっており、左側後ガイドリブ２６ｂの後面及び右側後ガイドリブ２６ｅの後面は上方程前方に位置するように傾斜したテーパー面２７ｂ、２７ｅとなっている。また左側左ガイドリブ２６ｃの左側面は上方程側右側方に位置するように傾斜したテーパー面２７ｃとなっており、右側右ガイドリブ２６ｆの右側面は上方程左側方に位置するように傾斜したテーパー面２７ｆとなっている。
【００２７】
上記ガイドリブ２６は排水筒部８の中心位置を示す形状に形成してある。具体的には上記左側左ガイドリブ２６ｃ及び右側右ガイドリブ２６ｆを、平面視において排水筒部８の中心を通る一直線上を通るように、且つ上記左側左ガイドリブ２６ｃ及び右側右ガイドリブ２６ｆを前後方向において排水筒部８の中心位置と重なるように設けている。
【００２８】
一方、床２には図１に示すように排水口部カバー５ａにて上記床フランジ７を上方から覆うように便器１を載設している。便器１の排水口部６は環状シール材１４の口部挿通孔１７に挿入してあり、環状シール材１４はそのシール部１６を排水口部６の外面に弾接している。これにより便器１の排水口部６と排水筒部８の隙間は気密されて排水管１３からの臭気が洩れることが防止されている。
【００２９】
凹部５の上底面を形成する排水口部カバー５ａの天板には前述したＴボルト２４ａ、２４ｂの軸部に対応する箇所にボルト挿通用孔２８ａ、２８ｂを穿設している。そして両ボルト挿通用孔２８ａ、２８ｂには対応する固定用リブ２０ａ、２０ｂの上面から上方に突出したＴボルト２４ａ、２４ｂの軸部の先部を挿通してあり、各Ｔボルト２４ａ、２４ｂのボルト挿通用孔２８ａ、２８ｂから上方に突出した雄ねじ部に螺合したナット２９により便器１と床フランジ７が締結されている。また便器１の後端の下端部から後方に突出した板状部３０にはねじ挿通用孔３１を穿設してあり、該ねじ挿通用孔３１に挿通したねじ３２の先端部は床２に固着してある。上記により便器１は床フランジ７及び床２に固定されている。
【００３０】
便器１の排水口部カバー５ａはその下端部を平面視で床フランジ７の鍔部１８を覆う鍔部カバー部３３としており、該排水口部カバー５ａの下端は床２の上面に載置してある。
【００３１】
上記排水口部カバー５ａの内側面の前記鍔部カバー部３３よりも上方に位置する部分には、便器１の排水口部６を口部挿通孔１７に挿通する際において、上記床フランジ７のガイドリブ２６が当接される被ガイド面３５を形成してあり、これにより便器１の排水口部６を口部挿通孔１７に挿通する際には、上記ガイドリブ２６によって便器１の水平方向の移動を規制して、排水口部６が平面視でその中心が排水筒部８の中心と重なる位置となるように導くことができるようなっている。
【００３２】
具体的には、排水口部カバー５ａの左側の側面部の前後方向における一部を左側方に突出して排水口部カバー５ａの左側の内側面に右側方に開口する凹面３４ａを形成し、右側の側面部の前後方向における一部を右側方に突出して排水口部カバー５ａの右側の内側面に左側方に開口する凹面３４ｂを形成してある。そして左側の凹面３４ａにおいて、後方を向く面を前記左側前ガイドリブ２６ａにガイドされる左側前被ガイド面３５ａとし、前方を向く面を前記左側後ガイドリブ２６ｂにガイドされる左側後被ガイド面３５ｂとし、右側方を向く面を前記左側左ガイドリブ２６ｃにガイドされる左側左被ガイド面３５ｃとし、右側の凹面３４ｂにおいて、後方を向く面を前記右側前ガイドリブ２６ｄにガイドされる右側前被ガイド面３５ｄとし、前方を向く面を前記右側後ガイドリブ２６ｅにガイドされる右側後被ガイド面３５ｅとし、左側方を向く面を前記右側右ガイドリブ２６ｆにガイドされる右側右被ガイド面３５ｆとし、これら左側前被ガイド面３５ａ、左側後被ガイド面３５ｂ、左側左被ガイド面３５ｃ、右側前被ガイド面３５ｄ、右側後被ガイド面３５ｅ、右側右被ガイド面３５ｆ、で上記被ガイド面３５を構成している。
【００３３】
左側前被ガイド面３５ａ及び右側前被ガイド面３５ｄは左側前ガイドリブ２６ａのテーパー面２７ａ及び右側前ガイドリブ２６ｄのテーパー面２７ｅと略同じ傾斜角度で上方程後方に位置するように傾斜したテーパー面となっており、左側後被ガイド面３５ｂ及び右側後被ガイド面３５ｅは左側後ガイドリブ２６ｂのテーパー面２７ｂ及び右側後ガイドリブ２６ｅのテーパー面２７ｅと略同じ傾斜角度で上方程前方に位置するように傾斜したテーパー面となっている。また左側左被ガイド面３５ｃは左側左ガイドリブ２６ｃのテーパー面２７ｃと略同じ傾斜角度で上方程右側方に位置するように傾斜したテーパー面となっており、右側右被ガイド面３５ｆは右側右ガイドリブ２６ｆのテーパー面２７ｆと略同じ傾斜角度で上方程左側方に位置するように傾斜したテーパー面となっている。
【００３４】
また上記左側前被ガイド面３５ａ、左側後被ガイド面３５ｂ、左側左被ガイド面３５ｃ、右側前被ガイド面３５ｄ、右側後被ガイド面３５ｅ、右側右被ガイド面３５ｆ、は排水口部６の下端よりも下方まで伸びているものとする。
【００３５】
上記左側前被ガイド面３５ａ、左側後被ガイド面３５ｂ、左側左被ガイド面３５ｃ、右側前被ガイド面３５ｄ、右側後被ガイド面３５ｅ、右側右被ガイド面３５ｆは、夫々、左側前ガイドリブ２６ａのテーパー面２７ａ、左側後ガイドリブ２６ｂのテーパー面２７ｂ、左側左ガイドリブ２６ｃのテーパー面２７ｃ、右側前ガイドリブ２６ｄのテーパー面２７ｄ、右側後ガイドリブ２６ｅのテーパー面２７ｅ、右側右ガイドリブ２６ｆのテーパー面２７ｆに近接対向している。
【００３６】
しかして上記便器１の排水口部６の接続構造により、便器１内の汚水を排水口部６及び排水筒部８を順に介して排水管１３に排水できるようになる。
【００３７】
上記便器１を床２へ施工する場合には図２及び図５に示す型紙３６を用いる。型紙３６の上面には、便器１の下端部の外周を縁取った便器位置決用マーカー３７、穴穿用マーカー３８、左右に伸びる型紙側施工線３９、が描かれており、穴穿用マーカー３８及び型紙側施工線３９は、便器位置決用マーカー３７に合わせて載置される便器１の排水口部６の中心と前後方向に一致する箇所に夫々描かれている。また型紙３６の前記便器位置決用マーカー３７に合わせて載置される便器１の排水口部カバー５ａに対応する箇所には、床フランジ７と平面視で略同大同形の床フランジ通孔４４を穿けている。また型紙３６の左右方向における中心には便器１を型紙３６に載置した後に該型紙３６を左右に引き裂くことが容易にできるよう前後に伸びるスリット４１を形成してある。
【００３８】
そして便器１を床２へ施工する場合には例えば以下に示すように行う。まず床２に前後方向に伸びるけがき線と左右方向に伸びるけがき線とを引いて両けがき線の交差する点を床孔９の穿設位置として決定する。この後、前記けがき線によって決定された床２の所定位置に床孔９を穿設すると共に、床下に排水管１３を該排水管１３の排水筒部８側の端部開口が前記床孔９に臨むように配管する。次に床フランジ７の鍔部１８を床２に載置し、同時に床フランジ７の排水筒部８の下端部を排水管１３の端部開口に挿入して接着剤等により排水管１３に接続し、この後、床フランジ７の左側左ガイドリブ２６ｃと右側右ガイドリブ２６ｆを結ぶ線が前記床孔９を穿設する際に引いた左右方向に伸びるけがき線と平行となるようにして、床フランジ７の鍔部１８の長手方向を左右方向とする。次に床フランジ７の鍔部１８に形成した各固着具用孔１９にビス等の固着具を挿通して、該固着具により鍔部１８を床２に固定する。次に図２及び図３に示すように型紙３６を、床フランジ通孔４４に床フランジ７を挿入して床２に載置する。この際、型紙３６は型紙側施工線３９と床フランジ７の左側左ガイドリブ２６ｃと右側右ガイドリブ２６ｆの結ぶ線とが平行となり、且つ、型紙側施工線３９と左側左ガイドリブ２６ｃ及び右側右ガイドリブ２６ｆの前後方向における位置が一致するように、床２に載置する。次に両Ｔボルト挿入溝２１ａ、２０ｂにその前端開口からＴボルト２４ａ、２４ｂを挿入し、上記位置決線２５ａ、２５ｂを見て、前記Ｔボルト挿入溝２１ａ、２１ｂに挿入した両Ｔボルト２４ａ、２４ｂをＴボルト２４ａ、２４ｂが前後方向において排水筒部８の中心と一致する位置に配置する。同時に穴穿用マーカー３８によって示された床２の所定箇所に下孔（図示せず）を穿ける。次いで便器１に設けた搬送用ロープ４２を持って、便器１を型紙３６を介して床２に載置する。この際、作業者は、便器位置決用マーカー３７に便器１を合わせ、同時に、便器１の下端部の両側面における排水口部６の中心位置と前後方向が同じ箇所に設けた上下に伸びる便器側施工線４３と型紙３６に設けた型紙側施工線３９とを合わせながら、便器１を型紙３６に載置する。次に型紙３６をスリット４１を境にして左右に引き裂き、便器１を床２に直接載置する。これにより便器１は床２の設置予定箇所に確実に載置されることとなる。上記便器１の床２への載置によって、同時に排水口部カバー５ａ内に床フランジ７が挿入され、同時に便器１の排水口部６は環状シール材１４の口部挿通孔１７に挿入され、また同時に便器１のボルト挿通用孔２８ａ、２８ｂにＴボルト２４ａ、２４ｂの軸部の先部が挿通されることとなる。なお、上記では便器１を直接手で持つことによる便器１の破損を防止するために搬送用ロープ４２を用いて便器１を床２に載置したが、勿論破損の恐れがない便器にあっては直接便器を手で持って床２に載置しても良いものとする。
【００３９】
そして上記便器１を床２に載置した後、各Ｔボルト２４ａ、２４ｂのボルト挿通用孔２８ａ、２８ｂから上方に突出した雄ねじ部にナット２９を螺合して便器１と床フランジ７を締結すると共に、便器１のねじ挿通用孔３１にねじ３２を挿通して該ねじ３２の先端部を床２に形成した下穴に固着する。しかして便器１の施工が完了する。なお便器１の施工は上記に限定されるものではない。
【００４０】
ここで上記便器１を床２に載置する際において、便器１の排水口部６が環状シール材１４の口部挿通孔１７に挿入されていく状態を図６に示す。図に示すように便器１を下方に移動して床２に近づけて行くと、ガイドリブ２６が被ガイド面３５に当接して排水口部６が平面視でその中心が排水筒部８の中心と重なる位置となるように便器１をガイドする。即ち便器１の排水口部６を口部挿通孔１７に挿通する際において、平面視における床フランジ７の排水筒部８の中心と便器１の排水口部６の中心とがずれた場合には、床フランジ７のガイドリブ２６が便器１の被ガイド面３５に当接して便器１の水平方向における移動が規制されるのである。これにより便器１を床２に載置した際には、便器１の排水口部６の中心と床フランジ７の排水筒部８の中心とが平面視で完全に一致する図１に示す状態や、最悪でも排水筒部８の中心と排水口部６の中心のずれＬが小さい図７に示す状態で口部挿通孔１７に排水口部６が挿通されることとなり、従って環状シール材１４は便器１の排水口部６の外面に全周に亙って均等な力で弾接されることとなって、排水口部６の外面の全周に亙って均等にシールでき、この結果、従来例に示したように排水口部６と排水筒部８との隙間にばらつきが生じて環状シール材１４によって完全に密閉できない箇所ができるといったことを防止でき、排水管１３からトイレ室内への臭気の漏れを環状シール材１４によって確実に防止できるようになる。またこのように便器１の排水口部６を口部挿通孔１７に挿通する際に、ガイドリブ２６によって排水口部６が平面視でその中心が排水筒部８の中心と重なる位置と重なる位置にガイドすることができるため便器１を設置予定箇所に確実に設置でき、さらには便器１の施工が容易になる。
【００４１】
また特に本実施形態では、ガイドリブ２６を、前述した左側前ガイドリブ２６ａ、左側後ガイドリブ２６ｂ、左側左ガイドリブ２６ｃ、右側前ガイドリブ２６ｄ、右側後ガイドリブ２６ｅ、右側右ガイドリブ２６ｆ、で、構成し、被ガイド面３５を、前述した左側前被ガイド面３５ａ、左側後被ガイド面３５ｂ、左側左被ガイド面３５ｃ、右側前被ガイド面３５ｄ、右側後被ガイド面３５ｅ、右側右被ガイド面３５ｆ、で構成してあり、便器１の排水口部６を環状シール材１４の口部挿通孔１７に挿通する際においては、左側前ガイドリブ２６ａのテーパー面２７ａ、左側後ガイドリブ２６ｂのテーパ面２７ｂ、右側前ガイドリブ２６ｄのテーパ面２７ｄ、右側後ガイドリブ２６ｅのテーパー面２７ｅ、の夫々が、左側前被ガイド面３５ａ、左側後被ガイド面３５ｂ、右側前被ガイド面３５ｄ、右側後被ガイド面３５ｅ、の夫々に当接して便器１の前後方向の位置を規制してガイドができ、また左側左ガイドリブ２６ｃのテーパー面２７ｃ及び右側右ガイドリブ２６ｆのテーパー面２７ｆの夫々が、左側左被ガイド面３５ｃ、右側右被ガイド面３５ｆ、の夫々に当接して便器１の左右方向の移動を規制してガイドができ、これにより簡単な構成で且つ正確に便器１の排水口部６のガイドができる。
【００４２】
また上記ガイドリブ２６は固定用リブ２０ａ、２０ｂに一体に設けているため、ガイドリブ２６自体の強度が強く、これにより被ガイド面３５にガイドリブ２６が強く当たった場合にガイドリブ２６が破損してしまうことを防止でき、また床フランジ７の形状を単純なものとでき、床フランジ７の金型コストを削減できる。またガイドリブ２６は固定用リブ２０ａ、２０ｂに一体に設けてあるので、両固定用リブ２０ａ、２０ｂを排水筒部８に近い位置に配置でき、排水口部６に一体に設けた排水口部カバー５ａの排水口部６側に近い位置で排水口部カバー５ａと床フランジ７とを固定でき、これにより便器１と床フランジ７とを強固に固定でき、尚且つガイドリブ２６を環状シール材１４の口部挿通孔１７に近い位置に配設でき、ガイドリブ２６によって一層正確な位置に便器１をガイドできるようになる。
【００４３】
また左側後ガイドリブ２６ｂ、左側左ガイドリブ２６ｃ、右側後ガイドリブ２６ｅ、右側右ガイドリブ２６ｆ、は排水筒部８よりも上方に突出しており、且つ左側後被ガイド面３５ｂ、左側左被ガイド面３５ｃ、右側後被ガイド面３５ｅ、右側右被ガイド面３５ｆ、は排水口部６の下端よりも下方まで伸びているので、便器１の排水口部６を環状シール材１４の口部挿通孔１７に挿通する際においては、便器１の排水口部６が床フランジ７の排水筒部８内に挿入される前にガイドリブ２６によって排水口部６が排水筒部８内に挿入されるようにガイドすることができ、排水口部６の排水筒部８内への挿入も容易となる。
【００４４】
また上記左側左ガイドリブ２６ｃ及び右側右ガイドリブ２６ｆを平面視において排水筒部８の中心を通る一直線上に配設してあるので、床フランジ７を床２に設置する際には、左側左ガイドリブ２６ｃ及び右側右ガイドリブ２６ｆを見て、床フランジ７の向きを調整することができ、また本実施形態のように便器１の施工に型紙３６を用いた場合には、左側左ガイドリブ２６ｃ及び右側右ガイドリブ２６ｆを見て、型紙３６に対する床フランジ７の向きを調整でき、また型紙３６を用いずに便器１を施工する場合にあっては、排水筒部８よりも左右方向における外側の見やすい位置にある左側左ガイドリブ２６ｃ及び右側右ガイドリブ２６ｆを見て排水筒部８の中心位置を確認でき、便器１の床２への載置が容易となる。
【図面の簡単な説明】
【００４５】
【図１】本発明の実施の形態を示し、図は正面断面図である。
【図２】同上の床に便器を載置する前の状態を示す斜視図である。
【図３】同上の環状シール材を取り外した床フランジの右側から見た斜視図である。
【図４】同上の床フランジの左側から見た斜視図である。
【図５】同上の床に便器を載置する前の状態を示す平面図である。
【図６】（ａ）〜（ｃ）は同上の排水口部を口部挿通孔に挿通する際の状態を順に示す側断面図である。
【図７】同上の便器排水口部の接続構造の参考例を示す正面断面図である。
【図８】従来の便器排水口部の接続構造を示す正面断面図である。
【符号の説明】
【００４６】
１  便器
２  床
５  凹部
６  排水口部
７  床フランジ
８  排水筒部
１３  排水管
１４  環状シール材
１７  口部挿通孔
１８  鍔部
２６  ガイドリブ
２６ａ  左側前ガイドリブ
２６ｂ  左側後ガイドリブ
２６ｃ  左側左ガイドリブ
２６ｄ  右側前ガイドリブ
２６ｅ  右側後ガイドリブ
２６ｆ  右側右ガイドリブ
３５  被ガイド面
３５ａ  左側前被ガイド面
３５ｂ  左側後被ガイド面
３５ｃ  左側左被ガイド面
３５ｄ  右側前被ガイド面
３５ｅ  右側後被ガイド面
３５ｆ  右側右被ガイド面
【図１】
2006002497.tif 000003
【図２】
2006002497.tif 000004
【図３】
2006002497.tif 000005
【図４】
2006002497.tif 000006
【図５】
2006002497.tif 000007
【図６】
2006002497.tif 000008
【図７】
2006002497.tif 000009
【図８】
2006002497.tif 000010